【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
通常モードにおいて、映像データを受信し、試験モードにおいて、テスト信号を受信するデータ受信に係わる手段と、
試験モードにおいて、データ受信に係わる前記手段を検査し、検査情報を生成する検査手段と、
前記検査情報を表す画像データを生成する検査結果画像生成手段と、
試験モードにおいて、前記検査結果画像生成手段が生成した前記画像データを表示し、通常モードにおいて、映像データを表示する表示手段と、を備えることを特徴とするディスプレイ装置。
【請求項２】
試験に係わる信号を受信するための部材を介して、その試験に係わる信号とは別の外部からの信号を受信でき、かつ、処理できるコントロール信号受信手段、を備え、
前記コントロール信号受信手段が、試験に係わる信号として、試験開始を指示するコントロール信号を受信した後に、試験モードに移行する、ことを特徴とする請求項１記載のディスプレイ装置。
【請求項３】
試験に係わる信号を送信するための部材を介して、その試験に係わる信号とは別の信号を外部へ送信できるコントロール信号送信手段、を備えることを特徴とする請求項２記載のディスプレイ装置。
【請求項４】
通常モードにおいて、データ受信に係わる前記手段から映像データを受け取って、前記表示手段へ出力し、試験モードにおいて、前記検査結果画像生成手段が生成した画像データを受け取って、前記表示手段へ出力する表示切り替え手段、を備えることを特徴とする請求項１記載のディスプレイ装置。
【請求項５】
前記表示切り替え手段は、試験モードにおいて、データ受信に係わる前記手段が入力したテスト信号に、前記検査結果画像生成手段が生成した画像データを重畳して、前記表示手段へ出力することを特徴とする請求項４記載のディスプレイ装置。
【請求項６】
データ受信に係わる前記手段は、
通常モードにおいて、映像データを受信し、試験モードにおいて、テスト信号としてのテストパターンを受信するデータ受信手段、を含み、
前記検査手段は、
試験モードにおいて、前記データ受信手段が受信したテストパターンについての誤り情報を生成する誤り情報生成手段、を含み、
前記検査結果画像生成手段は、前記誤り情報生成手段が生成した誤り情報を表す画像データを生成する、ことを特徴とする請求項１記載のディスプレイ装置。
【請求項７】
データ受信に係わる前記手段は、
通常モードにおいて、受信したクロック信号に同期したタイミング信号を発生し、試験モードにおいて、テスト信号としてのジッタを含むクロック信号を受信し、受信したクロック信号に同期したタイミング信号を発生する位相同期ループ手段、を含み、
前記検査手段は、
試験モードにおいて、前記位相同期ループ手段の誤動作情報を生成する誤動作情報生成手段、を含み、
前記検査結果画像生成手段は、前記誤動作情報生成手段が生成した誤動作情報を表す画像データを生成する、ことを特徴とする請求項１記載のディスプレイ装置。
【請求項８】
通常モードにおいて、映像データを受信し、試験モードにおいて、テスト信号を受信するデータ受信に係わる手段と、
試験モードにおいて、データ受信に係わる前記手段を検査し、検査情報を生成する検査手段と、
前記検査情報を外部に送信する手段と、
通常モードにおいて、映像データを表示する表示手段と、を備え、
試験モードにおいて、データ受信に係わる前記手段は、外部から、前記検査情報を表す画像データを受信し、
試験モードにおいて、前記表示手段は、前記検査情報を表す前記画像データを表示する、ことを特徴とするディスプレイ装置。
【請求項９】
データ受信に係わる前記手段は、
通常モードにおいて、前記クロック信号を基にした前記タイミング信号に同期して、映像データを受信し、試験モードにおいて、ジッタを含む前記クロック信号を基にした前記タイミング信号に同期して、テスト信号としてのテストパターンを受信するデータ受信手段、を含み、
前記検査手段は、
試験モードにおいて、前記検査情報として、前記データ受信手段が受信したテストパターンについての誤り情報を生成する誤り情報生成手段、を含む、ことを特徴とする請求項７記載のディスプレイ装置。
【請求項１０】
前記テスト信号は、ケーブルを介して、前記データ受信に係わる手段に送信される、ことを特徴とする請求項１記載のディスプレイ装置。
【請求項１１】
モードの切り替えを指示する入力手段、を備えることを特徴とする請求項１記載のディスプレイ装置。
【請求項１２】
前記入力手段は、通常モードで使用する、外部とのインターフェースを利用して、モードの切り替えを指示する、ことを特徴とする請求項１１記載のディスプレイ装置。
【請求項１３】
映像データを表示するディスプレイ装置の表示手段へ、受信した映像データを出力する受信装置であって、
通常モードにおいて、映像データを受信し、試験モードにおいて、テスト信号を受信するデータ受信に係わる手段と、
試験モードにおいて、データ受信に係わる前記手段を検査し、検査情報を生成する検査手段と、
前記検査情報を表す画像データを生成する検査結果画像生成手段と、を備え、
前記検査結果画像生成手段が生成した前記画像データは、試験モードにおいて、前記表示手段へ出力され、
データ受信に係わる前記手段が受信した映像データは、通常モードにおいて、前記表示手段へ出力される、ことを特徴とする受信装置。
【請求項１４】
映像データを表示するディスプレイ装置の表示手段へ、受信した映像データを出力する受信装置であって、
通常モードにおいて、映像データを受信し、試験モードにおいて、テスト信号を受信するデータ受信に係わる手段と、
試験モードにおいて、データ受信に係わる前記手段を検査し、検査情報を生成する検査手段と、
前記検査情報を外部に送信する手段と、を備え、
試験モードにおいて、データ受信に係わる前記手段は、外部から、前記検査情報を表す画像データを受信し、
データ受信に係わる前記手段が受信した前記検査情報を表す画像データは、試験モードにおいて、前記表示手段へ出力され、
データ受信に係わる前記手段が受信した映像データは、通常モードにおいて、前記表示手段へ出力される、ことを特徴とする受信装置。
【請求項１５】
ディスプレイ装置に対して試験を実行する試験装置であって、
前記ディスプレイ装置に対して、試験開始を指示するコントロール信号を送信するコントロール信号送信手段と、
前記コントロール信号送信手段に対して、試験開始を指示する前記コントロール信号を前記ディスプレイ装置へ送信するように命令する制御手段と、
テスト信号を発生するテスト信号発生手段と、
前記テスト信号を前記ディスプレイ装置に送信するテスト信号送信手段と、
を備えることを特徴とする試験装置。
【請求項１６】
ディスプレイ装置に対して試験を実行する試験装置であって、
前記ディスプレイ装置に対して、試験開始を指示するコントロール信号を送信するコントロール信号送信手段と、
前記コントロール信号送信手段に対して、試験開始を指示する前記コントロール信号を前記ディスプレイ装置へ送信するように命令する制御手段と、
テスト信号を発生するテスト信号発生手段と、
前記テスト信号を前記ディスプレイ装置に送信するテスト信号送信手段と、
前記テスト信号を受信した前記ディスプレイ装置が送信した、前記ディスプレイ装置の検査情報を受信する手段と、
検査情報を受信する前記手段が受信した前記検査情報を記憶する検査情報記憶手段と、
前記検査情報記憶手段から前記検査情報を取得して、前記検査情報を表す画像データを生成する検査結果画像生成手段と、を備え、
前記テスト信号送信手段は、前記検査結果画像生成手段が生成した前記画像データを、前記ディスプレイ装置に送信する、ことを特徴とする試験装置。
【手続補正２】
【補正対象書類名】明細書
【補正対象項目名】００５９
【補正方法】削除
【補正の内容】
【手続補正３】
【補正対象書類名】明細書
【補正対象項目名】００６０
【補正方法】削除
【補正の内容】
【手続補正４】
【補正対象書類名】明細書
【補正対象項目名】００６１
【補正方法】削除
【補正の内容】
【手続補正５】
【補正対象書類名】明細書
【補正対象項目名】００６２
【補正方法】削除
【補正の内容】
【手続補正６】
【補正対象書類名】明細書
【補正対象項目名】００６３
【補正方法】変更
【補正の内容】
【００６３】
第６の発明に係るディスプレイ装置では、第１、第２、第３、第４、又は第５の発明に加えて、データ受信に係わるユニットは、通常モードにおいて、映像データを受信し、試験モードにおいて、テスト信号としてのテストパターンを受信するデータ受信ユニット、を含み、検査ユニットは、試験モードにおいて、データ受信ユニットが受信したテストパターンについての誤り情報を生成する誤り情報生成ユニット、を含み、検査結果画像生成ユニットは、誤り情報生成ユニットが生成した誤り情報を表す画像データを生成する。
【手続補正７】
【補正対象書類名】明細書
【補正対象項目名】００６５
【補正方法】削除
【補正の内容】
【手続補正８】
【補正対象書類名】明細書
【補正対象項目名】００６６
【補正方法】削除
【補正の内容】
【手続補正９】
【補正対象書類名】明細書
【補正対象項目名】００６７
【補正方法】変更
【補正の内容】
【００６７】
第７の発明に係るディスプレイ装置では、通常モードにおいて、映像データを受信し、試験モードにおいて、テスト信号を受信するデータ受信に係わるユニットと、試験モードにおいて、データ受信に係わるユニットを検査し、検査情報を生成する検査ユニットと、検査情報を外部に送信するユニットと、通常モードにおいて、映像データを表示する表示ユニットと、を備え、試験モードにおいて、データ受信に係わるユニットは、外部から、検査情報を表す画像データを受信し、試験モードにおいて、表示ユニットは、検査情報を表す画像データを表示する。
【手続補正１０】
【補正対象書類名】明細書
【補正対象項目名】００７５
【補正方法】削除
【補正の内容】
【手続補正１１】
【補正対象書類名】明細書
【補正対象項目名】００７６
【補正方法】削除
【補正の内容】
【手続補正１２】
【補正対象書類名】明細書
【補正対象項目名】００７７
【補正方法】削除
【補正の内容】
【手続補正１３】
【補正対象書類名】明細書
【補正対象項目名】００７８
【補正方法】削除
【補正の内容】
【手続補正１４】
【補正対象書類名】明細書
【補正対象項目名】００７９
【補正方法】削除
【補正の内容】
【手続補正１５】
【補正対象書類名】明細書
【補正対象項目名】００８０
【補正方法】削除
【補正の内容】
【手続補正１６】
【補正対象書類名】明細書
【補正対象項目名】００８１
【補正方法】削除
【補正の内容】
【手続補正１７】
【補正対象書類名】明細書
【補正対象項目名】００８２
【補正方法】削除
【補正の内容】
【手続補正１８】
【補正対象書類名】明細書
【補正対象項目名】００８３
【補正方法】削除
【補正の内容】
【手続補正１９】
【補正対象書類名】明細書
【補正対象項目名】００８４
【補正方法】削除
【補正の内容】
【手続補正２０】
【補正対象書類名】明細書
【補正対象項目名】００８５
【補正方法】削除
【補正の内容】
【手続補正２１】
【補正対象書類名】明細書
【補正対象項目名】００８６
【補正方法】削除
【補正の内容】
【手続補正２２】
【補正対象書類名】明細書
【補正対象項目名】００８７
【補正方法】削除
【補正の内容】
【手続補正２３】
【補正対象書類名】明細書
【補正対象項目名】００８８
【補正方法】削除
【補正の内容】
【手続補正２４】
【補正対象書類名】明細書
【補正対象項目名】００８９
【補正方法】削除
【補正の内容】
【手続補正２５】
【補正対象書類名】明細書
【補正対象項目名】００９０
【補正方法】削除
【補正の内容】
【手続補正２６】
【補正対象書類名】明細書
【補正対象項目名】００９１
【補正方法】削除
【補正の内容】
【手続補正２７】
【補正対象書類名】明細書
【補正対象項目名】００９２
【補正方法】削除
【補正の内容】
【手続補正２８】
【補正対象書類名】明細書
【補正対象項目名】００９３
【補正方法】削除
【補正の内容】
【手続補正２９】
【補正対象書類名】明細書
【補正対象項目名】００９４
【補正方法】削除
【補正の内容】
【手続補正３０】
【補正対象書類名】明細書
【補正対象項目名】００９５
【補正方法】変更
【補正の内容】
【００９５】
第８の発明に係るディスプレイ装置では、データ受信に係わるユニットは、通常モードにおいて、クロック信号を基にしたタイミング信号に同期して、映像データを受信し、試験モードにおいて、ジッタを含むクロック信号を基にしたタイミング信号に同期して、テスト信号としてのテストパターンを受信するデータ受信ユニット、を含み、検査ユニットは、試験モードにおいて、検査情報として、データ受信ユニットが受信したテストパターンについての誤り情報を生成する誤り情報生成ユニット、を含む。
【手続補正３１】
【補正対象書類名】明細書
【補正対象項目名】００９８
【補正方法】変更
【補正の内容】
【００９８】
第９の発明に係るディスプレイ装置では、第１の発明に加えて、テスト信号は、ケーブルを介して、データ受信に係わるユニットに送信される。
【手続補正３２】
【補正対象書類名】明細書
【補正対象項目名】０１００
【補正方法】削除
【補正の内容】
【手続補正３３】
【補正対象書類名】明細書
【補正対象項目名】０１０１
【補正方法】削除
【補正の内容】
【手続補正３４】
【補正対象書類名】明細書
【補正対象項目名】０１０２
【補正方法】削除
【補正の内容】
【手続補正３５】
【補正対象書類名】明細書
【補正対象項目名】０１０３
【補正方法】削除
【補正の内容】
【手続補正３６】
【補正対象書類名】明細書
【補正対象項目名】０１０４
【補正方法】変更
【補正の内容】
【０１０４】
第１０の発明に係るディスプレイ装置では、入力ユニットは、通常モードで使用する、外部とのインターフェースを利用して、モードの切り替えを指示する。
【手続補正３７】
【補正対象書類名】明細書
【補正対象項目名】０１０６
【補正方法】変更
【補正の内容】
【０１０６】
第１１の発明に係る受信装置では、映像データを表示するディスプレイ装置の表示ユニットへ、受信した映像データを出力する受信装置であって、通常モードにおいて、映像データを受信し、試験モードにおいて、テスト信号を受信するデータ受信に係わるユニットと、試験モードにおいて、データ受信に係わるユニットを検査し、検査情報を生成する検査ユニットと、検査情報を表す画像データを生成する検査結果画像生成ユニットと、を備え、検査結果画像生成ユニットが生成した画像データは、試験モードにおいて、表示ユニットへ出力され、データ受信に係わるユニットが受信した映像データは、通常モードにおいて、表示ユニットへ出力される。
【手続補正３８】
【補正対象書類名】明細書
【補正対象項目名】０１１１
【補正方法】削除
【補正の内容】
【手続補正３９】
【補正対象書類名】明細書
【補正対象項目名】０１１２
【補正方法】削除
【補正の内容】
【手続補正４０】
【補正対象書類名】明細書
【補正対象項目名】０１１３
【補正方法】削除
【補正の内容】
【手続補正４１】
【補正対象書類名】明細書
【補正対象項目名】０１１４
【補正方法】削除
【補正の内容】
【手続補正４２】
【補正対象書類名】明細書
【補正対象項目名】０１１５
【補正方法】削除
【補正の内容】
【手続補正４３】
【補正対象書類名】明細書
【補正対象項目名】０１１６
【補正方法】削除
【補正の内容】
【手続補正４４】
【補正対象書類名】明細書
【補正対象項目名】０１１７
【補正方法】削除
【補正の内容】
【手続補正４５】
【補正対象書類名】明細書
【補正対象項目名】０１１８
【補正方法】削除
【補正の内容】
【手続補正４６】
【補正対象書類名】明細書
【補正対象項目名】０１１９
【補正方法】削除
【補正の内容】
【手続補正４７】
【補正対象書類名】明細書
【補正対象項目名】０１２０
【補正方法】削除
【補正の内容】
【手続補正４８】
【補正対象書類名】明細書
【補正対象項目名】０１２１
【補正方法】削除
【補正の内容】
【手続補正４９】
【補正対象書類名】明細書
【補正対象項目名】０１２２
【補正方法】削除
【補正の内容】
【手続補正５０】
【補正対象書類名】明細書
【補正対象項目名】０１２３
【補正方法】削除
【補正の内容】
【手続補正５１】
【補正対象書類名】明細書
【補正対象項目名】０１２４
【補正方法】削除
【補正の内容】
【手続補正５２】
【補正対象書類名】明細書
【補正対象項目名】０１２５
【補正方法】削除
【補正の内容】
【手続補正５３】
【補正対象書類名】明細書
【補正対象項目名】０１２６
【補正方法】削除
【補正の内容】
【手続補正５４】
【補正対象書類名】明細書
【補正対象項目名】０１２７
【補正方法】削除
【補正の内容】
【手続補正５５】
【補正対象書類名】明細書
【補正対象項目名】０１２８
【補正方法】削除
【補正の内容】
【手続補正５６】
【補正対象書類名】明細書
【補正対象項目名】０１２９
【補正方法】削除
【補正の内容】
【手続補正５７】
【補正対象書類名】明細書
【補正対象項目名】０１３０
【補正方法】削除
【補正の内容】
【手続補正５８】
【補正対象書類名】明細書
【補正対象項目名】０１３１
【補正方法】削除
【補正の内容】
【手続補正５９】
【補正対象書類名】明細書
【補正対象項目名】０１３２
【補正方法】削除
【補正の内容】
【手続補正６０】
【補正対象書類名】明細書
【補正対象項目名】０１３３
【補正方法】削除
【補正の内容】
【手続補正６１】
【補正対象書類名】明細書
【補正対象項目名】０１３４
【補正方法】削除
【補正の内容】
【手続補正６２】
【補正対象書類名】明細書
【補正対象項目名】０１３５
【補正方法】削除
【補正の内容】
【手続補正６３】
【補正対象書類名】明細書
【補正対象項目名】０１３６
【補正方法】削除
【補正の内容】
【手続補正６４】
【補正対象書類名】明細書
【補正対象項目名】０１３７
【補正方法】削除
【補正の内容】
【手続補正６５】
【補正対象書類名】明細書
【補正対象項目名】０１３８
【補正方法】削除
【補正の内容】
【手続補正６６】
【補正対象書類名】明細書
【補正対象項目名】０１３９
【補正方法】変更
【補正の内容】
【０１３９】
第１２の発明に係る受信装置では、映像データを表示するディスプレイ装置の表示ユニットへ、受信した映像データを出力する受信装置であって、通常モードにおいて、映像データを受信し、試験モードにおいて、テスト信号を受信するデータ受信に係わるユニットと、試験モードにおいて、データ受信に係わるユニットを検査し、検査情報を生成する検査ユニットと、検査情報を外部に送信するユニットと、を備え、試験モードにおいて、データ受信に係わるユニットは、外部から、検査情報を表す画像データを受信し、データ受信に係わるユニットが受信した検査情報を表す画像データは、試験モードにおいて、表示ユニットへ出力され、データ受信に係わるユニットが受信した映像データは、通常モードにおいて、表示ユニットへ出力される。
【手続補正６７】
【補正対象書類名】明細書
【補正対象項目名】０１４７
【補正方法】削除
【補正の内容】
【手続補正６８】
【補正対象書類名】明細書
【補正対象項目名】０１４８
【補正方法】削除
【補正の内容】
【手続補正６９】
【補正対象書類名】明細書
【補正対象項目名】０１４９
【補正方法】削除
【補正の内容】
【手続補正７０】
【補正対象書類名】明細書
【補正対象項目名】０１５０
【補正方法】削除
【補正の内容】
【手続補正７１】
【補正対象書類名】明細書
【補正対象項目名】０１５１
【補正方法】削除
【補正の内容】
【手続補正７２】
【補正対象書類名】明細書
【補正対象項目名】０１５２
【補正方法】削除
【補正の内容】
【手続補正７３】
【補正対象書類名】明細書
【補正対象項目名】０１５３
【補正方法】削除
【補正の内容】
【手続補正７４】
【補正対象書類名】明細書
【補正対象項目名】０１５４
【補正方法】削除
【補正の内容】
【手続補正７５】
【補正対象書類名】明細書
【補正対象項目名】０１５５
【補正方法】削除
【補正の内容】
【手続補正７６】
【補正対象書類名】明細書
【補正対象項目名】０１５６
【補正方法】削除
【補正の内容】
【手続補正７７】
【補正対象書類名】明細書
【補正対象項目名】０１５７
【補正方法】削除
【補正の内容】
【手続補正７８】
【補正対象書類名】明細書
【補正対象項目名】０１５８
【補正方法】削除
【補正の内容】
【手続補正７９】
【補正対象書類名】明細書
【補正対象項目名】０１５９
【補正方法】削除
【補正の内容】
【手続補正８０】
【補正対象書類名】明細書
【補正対象項目名】０１６０
【補正方法】削除
【補正の内容】
【手続補正８１】
【補正対象書類名】明細書
【補正対象項目名】０１６１
【補正方法】削除
【補正の内容】
【手続補正８２】
【補正対象書類名】明細書
【補正対象項目名】０１６２
【補正方法】削除
【補正の内容】
【手続補正８３】
【補正対象書類名】明細書
【補正対象項目名】０１６３
【補正方法】削除
【補正の内容】
【手続補正８４】
【補正対象書類名】明細書
【補正対象項目名】０１６４
【補正方法】削除
【補正の内容】
【手続補正８５】
【補正対象書類名】明細書
【補正対象項目名】０１６５
【補正方法】削除
【補正の内容】
【手続補正８６】
【補正対象書類名】明細書
【補正対象項目名】０１６６
【補正方法】削除
【補正の内容】
【手続補正８７】
【補正対象書類名】明細書
【補正対象項目名】０１６７
【補正方法】削除
【補正の内容】
【手続補正８８】
【補正対象書類名】明細書
【補正対象項目名】０１６８
【補正方法】削除
【補正の内容】
【手続補正８９】
【補正対象書類名】明細書
【補正対象項目名】０１６９
【補正方法】削除
【補正の内容】
【手続補正９０】
【補正対象書類名】明細書
【補正対象項目名】０１７０
【補正方法】削除
【補正の内容】
【手続補正９１】
【補正対象書類名】明細書
【補正対象項目名】０１７１
【補正方法】削除
【補正の内容】
【手続補正９２】
【補正対象書類名】明細書
【補正対象項目名】０１７２
【補正方法】変更
【補正の内容】
【０１７２】
第１３の発明に係る試験装置では、ディスプレイ装置に対して試験を実行する試験装置であって、ディスプレイ装置に対して、試験開始を指示するコントロール信号を送信するコントロール信号送信ユニットと、コントロール信号送信ユニットに対して、試験開始を指示するコントロール信号をディスプレイ装置へ送信するように命令する制御ユニットと、テスト信号を発生するテスト信号発生ユニットと、テスト信号をディスプレイ装置に送信するテスト信号送信ユニットと、を備える。
【手続補正９３】
【補正対象書類名】明細書
【補正対象項目名】０１７４
【補正方法】変更
【補正の内容】
【０１７４】
第１４の発明に係る試験装置では、ディスプレイ装置に対して試験を実行する試験装置であって、ディスプレイ装置に対して、試験開始を指示するコントロール信号を送信するコントロール信号送信ユニットと、コントロール信号送信ユニットに対して、試験開始を指示するコントロール信号をディスプレイ装置へ送信するように命令する制御ユニットと、テスト信号を発生するテスト信号発生ユニットと、テスト信号をディスプレイ装置に送信するテスト信号送信ユニットと、テスト信号を受信したディスプレイ装置が送信した、ディスプレイ装置の検査情報を受信するユニットと、検査情報を受信するユニットが受信した検査情報を記憶する検査情報記憶ユニットと、検査情報記憶ユニットから検査情報を取得して、検査情報を表す画像データを生成する検査結果画像生成ユニットと、を備え、テスト信号送信ユニットは、検査結果画像生成ユニットが生成した画像データを、ディスプレイ装置に送信する。
【手続補正９４】
【補正対象書類名】明細書
【補正対象項目名】０１７７
【補正方法】削除
【補正の内容】
【手続補正９５】
【補正対象書類名】明細書
【補正対象項目名】０１７８
【補正方法】削除
【補正の内容】
【手続補正９６】
【補正対象書類名】明細書
【補正対象項目名】０１７９
【補正方法】削除
【補正の内容】
【手続補正９７】
【補正対象書類名】明細書
【補正対象項目名】０１８０
【補正方法】削除
【補正の内容】
【手続補正９８】
【補正対象書類名】明細書
【補正対象項目名】０１８１
【補正方法】削除
【補正の内容】
【手続補正９９】
【補正対象書類名】明細書
【補正対象項目名】０１８２
【補正方法】削除
【補正の内容】
【手続補正１００】
【補正対象書類名】明細書
【補正対象項目名】０１８３
【補正方法】削除
【補正の内容】
【手続補正１０１】
【補正対象書類名】明細書
【補正対象項目名】０１８４
【補正方法】削除
【補正の内容】
【手続補正１０２】
【補正対象書類名】明細書
【補正対象項目名】０１８５
【補正方法】削除
【補正の内容】
【手続補正１０３】
【補正対象書類名】明細書
【補正対象項目名】０１８６
【補正方法】削除
【補正の内容】
【手続補正１０４】
【補正対象書類名】明細書
【補正対象項目名】０１８７
【補正方法】削除
【補正の内容】
【手続補正１０５】
【補正対象書類名】明細書
【補正対象項目名】０１８８
【補正方法】削除
【補正の内容】